(57)【要約】【課題】  米が正確に計量できていることが一目で確認できる計量機構を備えた米櫃を提供する。【解決手段】  米を蓄える漏斗状のホッパーと、手動で前後に出し入れする引き出しと、計量升とを備え、計量升は、引き出しに取り出し可能に載置してあり、引き出し後退時にホッパーの流出口に連通し、ホッパー流出口の前面には弾性部材からなる均し板を配設し、引き出しを前方に引き出す際に均し板により計量升上面の米が擦り切られ、定量の米を計量升ごと取り出すことができる。【選択図】      図１
2019041996.tif 000002
【特許請求の範囲】
【請求項１】
米を蓄える漏斗状のホッパーと、手動で前後に出し入れする引き出しと、計量升とを備え、計量升は、引き出しに取り出し可能に載置してあり、引き出し後退時にホッパーの流出口に連通し、ホッパー流出口の前面には弾性部材からなる均し板を配設し、引き出しを前方に引き出す際に均し板により計量升上面の米が擦り切られ、定量の米を計量升ごと取り出すことができることを特徴とする米櫃。
【請求項２】
引き出しの底面には、引き出しに計量升が載置されていない場合に引き出しの後退を不可能にする誤動作防止機構を備えていることを特徴とする請求項１記載の米櫃。
【発明の詳細な説明】
【技術分野】
【０００１】
本発明は計量機構を備えた米櫃に関するものである。
【背景技術】
【０００２】
米を蓄える漏斗状のホッパーと、手動で前後に出し入れする引き出しと、計量した米を蓄えておく受け箱から構成され、米の計量機構を備えた米櫃がある。
【先行技術文献】
【特許文献】
【０００３】
【特許文献１】特開２００１−２３１６９７号公報
【発明の概要】
【発明が解決しようとする課題】
【０００４】
前記のような米櫃において、引き出しを規定の位置まで摺動していない、またはホッパー内の米の残量不足等の理由で正常な計量がされなかった場合に、そのことが視認できない為異常に気付くことができないという課題があった。
本発明は前記実情に鑑み、所望する量の米が正確に計量できていることが一目で確認できる米櫃を提供することを目的とする。
【課題を解決するための手段】
【０００５】
本発明のうち請求項１に記載の米櫃は、米を蓄える漏斗状のホッパーと、手動で前後に出し入れする引き出しと、計量升とを備え、計量升は、引き出しに取り出し可能に載置してあり、引き出し後退時にホッパーの流出口に連通し、ホッパー流出口の前面には弾性部材からなる均し板を配設し、引き出しを前方に引き出す際に均し板により計量升上面の米が擦り切られ、定量の米を計量升ごと取り出すことができることを特徴とする。
【０００６】
前記の構成に加えて請求項２に記載の通り、引き出しの底面には、引き出しに計量升が載置されていない場合に引き出しの後退を不可能にする誤動作防止機構を備えていることを特徴とする。
【発明の効果】
【０００７】
本発明によれば、引き出しを前方に引き出す際にホッパー流出口前面の均し板により計量升上面の米が擦り切られ、計量済みの米で満たされた計量升を取り出すことができる為、計量が正確になされていることが一目瞭然となる。
【０００８】
また請求項２記載の発明によれば、引き出しの底面には、引き出しに計量升が載置されていない場合に引き出しの後退を不可能にする誤動作防止機構を備えており、誤って米がホッパー流出口から計量升載置口に零れてしまうことを防止することができる。
【図面の簡単な説明】
【０００９】
【図１】本発明の米櫃の外観と主要な内部構成を示す斜視図である。
【図２】（ａ）（ｂ）計量の仕組みを説明する、図１におけるＸ−Ｘ線断面図である。
【図３】（ａ）（ｂ）誤動作防止機構の仕組みを説明する縦断面図である。
【発明を実施するための形態】
【００１０】
以下、本発明の実施の形態を図面に基づいて説明する。
【００１１】
本発明の米櫃は、弾性部材からなる均し板５以外の全ての部品が桐板から成り、釘や木ねじ等の金具を使用せずに接着により組み立てたものである。そのため桐の持つ優れた調湿作用および防虫作用によって米の品質劣化を大幅に抑制でき、プラスチックや金属製の米櫃と比較すると、米を食味よく保存できる期間は２倍以上に延びる。
【００１２】
本発明の米櫃は、周囲を４枚の外装板９ａ，９ｂ，９ｃ，９ｄで囲った長方形の筒体の内部に上から順に、米を蓄えるホッパー１、計量升２、引き出し３、誤動作防止部材６で構成される。
【００１３】
ホッパー１は着脱自在の上蓋１０を有し、底部は四方から中央前方の流出口４に向かって傾斜面を設けて漏斗状に構成してあり、内部の米は中央前方に集まって流出口４から順次流下する。
【００１４】
引き出し３は、前後に細長い箱状のもので、ホッパー１の下方位置に、左右の側面をガイドバー８で規制して前後に摺動可能な状態で設置してある。引き出し３には、後退時にホッパー１の流出口４と連通する位置に計量升２を載置してあり、計量升２が容易に取り出せるよう計量升載置口１１の左右の壁面には切欠部１３を備えている。引き出し３の後退位置では図２（ａ）に示すように、計量升２にはホッパー１の流出口４から米が流れ込んで蓄えられる。
【００１５】
この状態から引き出し３を手前側（矢印の方向）に引き出すと、図２（ｂ）のように計量升２は上面がホッパー流出口４の前面に設置した均し板５に擦られながら移動し、ちょうど一合の米が計量升２によって計り取られる。なお、均し板５は、米を圧砕することのないよう弾力性のある天然ゴムの板を使用している。
【００１６】
引き出し３を前進限まで引き出すと、一合の米で満たされた計量升２が取り出し可能となり、ちょうど一合の米が正確に計り取られていることが一目瞭然である。この為、例えばホッパー１内の米の残量が一合未満であった等の理由で正常に計量がされなかった場合には、直ちに異常に気付くことができ実用性に優れる。
【００１７】
誤動作防止部材６は、前後方向に長い長方形の板材であり、その前端上側の肉厚を削ることで軽量化を図っている。また、誤動作防止部材６は、引き出し３の底面に、長手方向中央より前部に、左右方向に延びる軸７によって前後方向に揺動可能に軸支されている。したがってその重心が軸７よりも後方に位置し、外部から力が加わらない場合には誤動作防止部材６の後端が下方に傾斜する。図３（ａ）に示すように、計量升２が引き出し３に載置されている状態においては、誤動作防止部材６は前端が計量升２によって押されることで略水平となり、底板１２の前端と干渉しない為、引き出し３を後退させて米櫃内に戻すことができる。一方、計量升２を引き出しから取り出した状態においては、図３（ｂ）に示すように誤動作防止部材６の後端が底板の前端と干渉することで、引き出し３の後退を防ぐストッパーの役割を果たす。この為、計量升２を引き出し３に載置し忘れた場合に、引き出し３がそのまま後退されてホッパー１から流入した米が引き出し３の計量升載置口１１に零れてしまうことを防止できる効果を奏する。
【００１８】
本発明は、上記の実施形態に限定されない。外装板等の構成材は図１に示す平板材に限られず、例えば一個の木塊から削り出した箱状の材であってもよい。なお、使用する桐板は、箪笥等の大型家具用材料を取った後の端材を利用すれば、材料費は比較的安価となる。
【符号の説明】
【００１９】
１    ホッパー
２    計量升
３    引き出し
４    流出口
５    均し板
６    誤動作防止部材
７    軸
８    ガイドバー
９ａ〜９ｄ    外装板
１０    上蓋
１１    計量升載置口
１２    底板
１３    切欠部
【図１】
2019041996.tif 000003
【図２】
2019041996.tif 000004
【図３】
2019041996.tif 000005
【手続補正書】
【提出日】平成30年11月8日(2018.11.8)
【手続補正１】
【補正対象書類名】特許請求の範囲
【補正対象項目名】全文
【補正方法】変更
【補正の内容】
【特許請求の範囲】
【請求項１】
米を蓄える漏斗状のホッパーと、手動で前後に出し入れする引き出しと、計量升とを備え、計量升は、引き出しに取り出し可能に載置してあり、引き出し後退時にホッパーの流出口に連通し、ホッパー流出口の前面には弾性部材からなる均し板を配設し、引き出しを前方に引き出す際に均し板により計量升上面の米が擦り切られ、定量の米を計量升ごと取り出すことができ、引き出しの底面には、引き出しに計量升が載置されていない場合に引き出しの後退を不可能にする誤動作防止機構を備えていることを特徴とする米櫃。
【手続補正２】
【補正対象書類名】明細書
【補正対象項目名】全文
【補正方法】変更
【補正の内容】
【発明の詳細な説明】
【技術分野】
【０００１】
本発明は計量機構を備えた米櫃に関するものである。
【背景技術】
【０００２】
米を蓄える漏斗状のホッパーと、手動で前後に出し入れする引き出しと、計量した米を蓄えておく受け箱から構成され、米の計量機構を備えた米櫃がある。
【先行技術文献】
【特許文献】
【０００３】
【特許文献１】特開２００１−２３１６９７号公報
【発明の概要】
【発明が解決しようとする課題】
【０００４】
前記のような米櫃において、引き出しを規定の位置まで摺動していない、またはホッパー内の米の残量不足等の理由で正常な計量がされなかった場合に、そのことが視認できない為異常に気付くことができないという課題があった。
本発明は前記実情に鑑み、所望する量の米が正確に計量できていることが一目で確認できる米櫃を提供することを目的とする。
【課題を解決するための手段】
【０００５】
本発明の米櫃は、米を蓄える漏斗状のホッパーと、手動で前後に出し入れする引き出しと、計量升とを備え、計量升は、引き出しに取り出し可能に載置してあり、引き出し後退時にホッパーの流出口に連通し、ホッパー流出口の前面には弾性部材からなる均し板を配設し、引き出しを前方に引き出す際に均し板により計量升上面の米が擦り切られ、定量の米を計量升ごと取り出すことができ、引き出しの底面には、引き出しに計量升が載置されていない場合に引き出しの後退を不可能にする誤動作防止機構を備えていることを特徴とする。
【発明の効果】
【０００６】
本発明によれば、引き出しを前方に引き出す際にホッパー流出口前面の均し板により計量升上面の米が擦り切られ、計量済みの米で満たされた計量升を取り出すことができる為、計量が正確になされていることが一目瞭然となる。また、引き出しの底面には、引き出しに計量升が載置されていない場合に引き出しの後退を不可能にする誤動作防止機構を備えており、誤って米がホッパー流出口から計量升載置口に零れてしまうことを防止することができる。
【図面の簡単な説明】
【０００７】
【図１】本発明の米櫃の外観と主要な内部構成を示す斜視図である。
【図２】（ａ）（ｂ）計量の仕組みを説明する、図１におけるＸ−Ｘ線断面図である。
【図３】（ａ）（ｂ）誤動作防止機構の仕組みを説明する縦断面図である。
【発明を実施するための形態】
【０００８】
以下、本発明の実施の形態を図面に基づいて説明する。
【０００９】
本発明の米櫃は、弾性部材からなる均し板５以外の全ての部品が桐板から成り、釘や木ねじ等の金具を使用せずに接着により組み立てたものである。そのため桐の持つ優れた調湿作用および防虫作用によって米の品質劣化を大幅に抑制でき、プラスチックや金属製の米櫃と比較すると、米を食味よく保存できる期間は２倍以上に延びる。
【００１０】
本発明の米櫃は、周囲を４枚の外装板９ａ，９ｂ，９ｃ，９ｄで囲った長方形の筒体の内部に上から順に、米を蓄えるホッパー１、計量升２、引き出し３、誤動作防止部材６で構成される。
【００１１】
ホッパー１は着脱自在の上蓋１０を有し、底部は四方から中央前方の流出口４に向かって傾斜面を設けて漏斗状に構成してあり、内部の米は中央前方に集まって流出口４から順次流下する。
【００１２】
引き出し３は、前後に細長い箱状のもので、ホッパー１の下方位置に、左右の側面をガイドバー８で規制して前後に摺動可能な状態で設置してある。引き出し３には、後退時にホッパー１の流出口４と連通する位置に計量升２を載置してあり、計量升２が容易に取り出せるよう計量升載置口１１の左右の壁面には切欠部１３を備えている。引き出し３の後退位置では図２（ａ）に示すように、計量升２にはホッパー１の流出口４から米が流れ込んで蓄えられる。
【００１３】
この状態から引き出し３を手前側（矢印の方向）に引き出すと、図２（ｂ）のように計量升２は上面がホッパー流出口４の前面に設置した均し板５に擦られながら移動し、ちょうど一合の米が計量升２によって計り取られる。なお、均し板５は、米を圧砕することのないよう弾力性のある天然ゴムの板を使用している。
【００１４】
引き出し３を前進限まで引き出すと、一合の米で満たされた計量升２が取り出し可能となり、ちょうど一合の米が正確に計り取られていることが一目瞭然である。この為、例えばホッパー１内の米の残量が一合未満であった等の理由で正常に計量がされなかった場合には、直ちに異常に気付くことができ実用性に優れる。
【００１５】
誤動作防止部材６は、前後方向に長い長方形の板材であり、その前端上側の肉厚を削ることで軽量化を図っている。また、誤動作防止部材６は、引き出し３の底面に、長手方向中央より前部に、左右方向に延びる軸７によって前後方向に揺動可能に軸支されている。したがってその重心が軸７よりも後方に位置し、外部から力が加わらない場合には誤動作防止部材６の後端が下方に傾斜する。図３（ａ）に示すように、計量升２が引き出し３に載置されている状態においては、誤動作防止部材６は前端が計量升２によって押されることで略水平となり、底板１２の前端と干渉しない為、引き出し３を後退させて米櫃内に戻すことができる。一方、計量升２を引き出しから取り出した状態においては、図３（ｂ）に示すように誤動作防止部材６の後端が底板の前端と干渉することで、引き出し３の後退を防ぐストッパーの役割を果たす。この為、計量升２を引き出し３に載置し忘れた場合に、引き出し３がそのまま後退されてホッパー１から流入した米が引き出し３の計量升載置口１１に零れてしまうことを防止できる効果を奏する。
【００１６】
本発明は、上記の実施形態に限定されない。外装板等の構成材は図１に示す平板材に限られず、例えば一個の木塊から削り出した箱状の材であってもよい。なお、使用する桐板は、箪笥等の大型家具用材料を取った後の端材を利用すれば、材料費は比較的安価となる。
【符号の説明】
【００１７】
１    ホッパー
２    計量升
３    引き出し
４    流出口
５    均し板
６    誤動作防止部材
７    軸
８    ガイドバー
９ａ〜９ｄ    外装板
１０    上蓋
１１    計量升載置口
１２    底板
１３    切欠部